(57)【特許請求の範囲】
【請求項１】
床基盤と表面床とを備えた二重床と、前記表面床上に設けられた間仕切り壁と、前記間仕切り壁を支持する支持脚とを具備する建築構造物であって、
前記表面床における間仕切り壁の下面と対向する部分には貫通孔が穿設され、当該貫通孔を挿通して前記支持脚が前記床基盤上に設けられ、
前記貫通孔の側面と前記支持脚との間および前記支持脚における前記間仕切り壁を受ける部位と前記表面床との間には隙間が設けられ、当該隙間によって、前記床基盤と前記表面床との間に位置する床下空間と、前記表面床の上方に位置する床上空間とをつなぐ空気の通り道が形成されている
ことを特徴とする建築構造物。
【請求項２】
前記間仕切り壁の長手方向に延在し、当該間仕切り壁の上端部が取付固定される天井ランナーと、前記間仕切り壁の長手方向に延在し、当該間仕切り壁の下端部が取付固定される床ランナーとを具備し、
前記天井ランナーは、当該建築構造物における天井面に設けられ、
前記床ランナーは、前記支持脚における前記間仕切り壁を受ける部位として前記支持脚に取り付けられている
ことを特徴とする請求項１に記載の建築構造物。
【請求項３】
床基盤と表面床とを備えた二重床に対する間仕切り壁の施工方法であって、
前記表面床における間仕切り壁の下面と対向する部分の一部に貫通孔を穿設する貫通孔穿設過程と、
前記間仕切り壁を支持するための支持脚を前記貫通孔に挿通して前記床基盤上に立設するとともに、前記貫通孔の側面と前記支持脚との間に隙間を設ける支持脚立設過程と、
前記支持脚における前記間仕切り壁を受ける部位と前記表面床との間に隙間が設けられるように前記支持脚の高さを調整した後、当該支持脚によって前記間仕切り壁を支持させる間仕切り壁支持過程とを具備し、
前記支持脚立設過程にて設けられた隙間と、前記間仕切り壁支持過程にて設けられた隙間によって、前記床基盤と前記表面床との間に位置する床下空間と、前記表面床の上方に位置する床上空間とをつなぐ空気の通り道が形成される
ことを特徴とする間仕切り壁施工方法。
【発明の詳細な説明】
【０００１】
【発明の属する技術分野】
本発明は、建築構造物及び間仕切り壁施工方法に関し、詳しくは二重床上の空間を仕切る間仕切り壁を備えた建築構造物及び間仕切り壁施工方法に関する。
【０００２】
【従来の技術】
コンクリートスラブ等の床基盤と表面床とを備えた乾式二重床上に間仕切り壁を施工する方法として、種々の方法が提案されている。図５は、従来の乾式二重床１００の部分断面図である。
【０００３】
乾式二重床１００においては、コンクリートスラブ等の床基盤１１０上に施工される間仕切り壁１２０を支持する構造として、束１３１、根太材１３２及び釘１３３とを備えた際根太構造１３０が用いられている。該乾式二重床１００においては、床基盤１１０上に間仕切り壁１２０を施工した後、間仕切り壁１２０の下部に際根太構造１３０を取り付けることによって支持を補強する。そして、パーティクルボードなどの下地パネルによって形成された床材１４１、捨て貼り材１４２、仕上げ材１４３等からなる表面床１４０を施工する。
【０００４】
しかしながら、かかる乾式二重床１００においては、際根太構造１３０を用いるため、束、根太材等の材料費や、これらを取り付ける手間を要し、施工コストが高くなるという欠点がある。また、上述したように、かかる乾式二重床１００においては、間仕切り壁１２０を施工した後に表面床１４０等を施工するため、改修によって間取りの変更が必要となった場合には、間仕切り壁１２０、表面床１４０等を解体した上で、再度、間仕切り壁１２０、表面床１４０等を施工する必要があった。
【０００５】
かかる問題を解消すべく、乾式二重床施工後の表面床に貫通孔を穿設し、該貫通孔を介して床基盤上に間仕切り壁支持用の支持脚を立設することで、間仕切り壁を支持する方法が提案されている。図６は、かかる方法を採用した乾式二重床２００の部分断面図である。
【０００６】
乾式二重床２００においては、床材２４１、捨て貼り材２４２、仕上げ材２４３からなる表面床２４０の間仕切り壁２２０の下面と対向する部分には、貫通孔２４０ａが設けられ、間仕切り壁２２０を支持する支持脚２３０が当該貫通孔２４０ａを介して床基盤２１０上に立設されている。この乾式二重床２００においては、表面床２４０の仕上げ材２４３に台板２３１の端部２３１ａが接触するように支持脚２３０の高さが調整されている。これにより、間仕切り壁２２０は、支持脚２３０の台板２３１及び表面床２４０の仕上げ材２４３によって支持されることとなる。
【０００７】
かかる乾式二重床２００によれば、間仕切り壁を支持する構造として際根太構造（図５参照）を用いる必要がないため、施工コストを大幅に削減することができるといった利点がある。また、改修の際には間仕切り壁を解体する必要がないため、残材の量も大幅に削減でき、短期間の工期で改修作業を実施することができるといった利点もある。
【０００８】
【発明が解決しようとする課題】
しかしながら、上述した乾式二重床２００は、支持脚２３０及び表面床２４０によって間仕切り壁２２０を支持しているため、子供の飛び跳ね等によって表面床２４０に床衝撃音が発生した場合には、該床衝撃音が表面床２４０から台板２３１、支持脚２３０を介して床基盤２１０に伝播し、階下において大きな騒音が発生し、階下の居住者等に不快感を与えてしまう。かかる問題は、間仕切り壁２２０自体の質量を重くすることで解消されるが、コストが嵩むと共に施工作業が煩雑になる等の問題が生じていた。
【０００９】
なお、該床基盤２１０に対する床衝撃音の伝播を低減すべく、図６に示すように支持脚２３０の下端にゴム弾性体等からなる台座２３２を設け、支持脚２３０から床基盤２１０に伝播する衝撃を吸収するように構成する方法も提案されているが、寸法上の制約等により、上記騒音を低減するのに十分な衝撃吸収性能を発揮できないという問題があった。
【００１０】
本発明は、以上説明した事情に鑑みてなされたものであり、間仕切り壁を具備する建築構造物において、当該間仕切り壁自体の質量を重くすることなく、表面床等において発生した床衝撃音の伝播を抑制することが可能な建築構造物、間仕切り壁施工方法を提供することを目的とする。
【００１１】
【課題を解決するための手段】
上述課題を解決するため、本発明は、床基盤と表面床とを備えた二重床と、前記表面床上に設けられた間仕切り壁と、前記間仕切り壁を支持する支持脚とを具備する建築構造物であって、前記表面床における間仕切り壁の下面と対向する部分には貫通孔が穿設され、当該貫通孔を挿通して前記支持脚が前記床基盤上に設けられ、前記貫通孔の側面と前記支持脚との間および前記支持脚における前記間仕切り壁を受ける部位と前記表面床との間には隙間が設けられ、当該隙間によって、前記床基盤と前記表面床との間に位置する床下空間と、前記表面床の上方に位置する床上空間とをつなぐ空気の通り道が形成されていることを特徴とする。
【００１２】
かかる構成によれば、子供の飛び跳ね等により表面床から床衝撃音が発生したとしても、支持脚における間仕切り壁を受ける部位と表面床との間は絶縁されているため、該床衝撃音が表面床から支持脚を介して床基盤に伝播することはない。この結果、階下の居住者等に不快感を与えてしまう等の問題は抑制される。
【００１５】
また、前記間仕切り壁の長手方向に延在し、当該間仕切り壁の上端部が取付固定される天井ランナーと、前記間仕切り壁の長手方向に延在し、当該間仕切り壁の下端部が取付固定される床ランナーとをさらに具備し、前記床ランナーを前記支持脚における前記間仕切り壁を受ける部位として前記支持脚に取り付けるようにしても良い。
【００１６】
このように、支持脚のみならず、天井ランナー、床ランナーを利用して間仕切り壁を支持することにより、支持脚にかかる負荷を軽減するようにしても良い。
【００１７】
また、本発明は、床基盤と表面床とを備えた二重床に対する間仕切り壁の施工方法であって、前記表面床における間仕切り壁の下面と対向する部分の一部に貫通孔を穿設する貫通孔穿設過程と、前記間仕切り壁を支持するための支持脚を前記貫通孔に挿通して前記床基盤上に立設するとともに、前記貫通孔の側面と前記支持脚との間に隙間を設ける支持脚立設過程と、前記支持脚における前記間仕切り壁を受ける部位と前記表面床との間に隙間が設けられるように前記支持脚の高さを調整した後、当該支持脚によって前記間仕切り壁を支持させる間仕切り壁支持過程とを具備し、前記支持脚立設過程にて設けられた隙間と、前記間仕切り壁支持過程にて設けられた隙間によって、前記床基盤と前記表面床との間に位置する床下空間と、前記表面床の上方に位置する床上空間とをつなぐ空気の通り道が形成されることを特徴とする。
【００１８】
かかる方法によって間仕切り壁を施工することで、子供の飛び跳ね等により表面床から床衝撃音が発生したとしても、支持脚における間仕切り壁を受ける部位と表面床との間は絶縁されているため、該床衝撃音が表面床から支持脚を介して床基盤に伝播することはない。この結果、階下の居住者等に不快感を与えてしまう等の問題は抑制される。
【００２１】
【発明の実施の形態】
以下、図面を参照して本発明の実施の形態について説明する。
【００２２】
Ａ．本実施形態
図１は、本実施形態に係る建築構造物３００の部分断面図であり、図２は、本実施形態に係る床下アンカー６２０及び支持脚６１０による間仕切り壁５００の支持状態を説明するための図である。なお、図２では、便宜上、説明に必要な箇所のみを図示している。
建築構造物３００は、乾式二重床４００と、乾式二重床４００上の空間を仕切る間仕切り壁５００とを備えている。
乾式二重床４００は、コンクリートスラブなどの床基盤４１０と、図示せぬ複数の床支持脚により、該床基盤４１０から所定の距離を隔てて支持される表面床４２０とを備えている。
【００２３】
表面床４２０は、複数の空洞４２１ａを有する中空下地パネルによって形成された遮音床４２１と、合板等からなる捨て貼り材４２２と、フローリング材、畳、絨毯等からなる仕上げ材４２３等によって構成されている。なお、本実施形態では、中空下地パネル４２１ａによって形成された遮音床４２１を例に説明するが、該遮音床４２１の代わりに、パーティクルボードや合板等からなる下地パネルによって形成された遮音床を用いることも可能である。
【００２４】
間仕切り壁５００は、ボルト形状の支持脚６１０と、断面視逆Ｔ字形状の床下ランナー６２０と、断面視Ｔ字形状の天井ランナー６３０とを備えた間仕切り壁支持機構６００によって支持されている。
支持脚６１０は、表面床４２０における間仕切り壁５００の下面と対向する部分に穿設された貫通孔４２４を介して床基盤４１０上に立設されている。この貫通孔４２４の径Ｄは、支持脚６１０の最大径Ｄｍａｘよりも大きく設定されており、これにより支持脚６１０を表面床４２０の上方から貫通孔４２４に挿通して床基盤４１０上に立設することが可能となっている。
【００２５】
支持脚６１０は、本体部６１１と基盤接合部６１２とを具備し、本体部６１１は、間仕切り壁５００等を支持することが可能な材料（例えば、鉄等）によって形成され、床基盤４１０と接する基盤接合部６１２は、ゴム等の弾性体によって形成されている。本実施形態では、このように基盤接合部６１２をゴム等からなる弾性体によって形成することで、間仕切り壁５００から床下ランナー６２０、支持脚６１０を介して床基盤４１０に伝播する振動を低減している。
【００２６】
かかる弾性体の材質としては、天然ゴム、スチレンブタジエン、クロロプレンゴム、エチレンプロピレンゴム、ブチルゴム等のポリマーを１種又は２種以上併用したものに、硫黄等の加硫剤及び可塑剤や防かび剤等の添加剤を加え、加温反応して得られたものを用いることができる。このように、本実施形態では、基盤接合部６１２をゴム等からなる弾性体によって形成した場合を例に説明するが、基盤接合部６１２を弾性体によって形成することなく、本体部６１１と同様の材料によって形成することも可能である。
【００２７】
ここで、図２に示すように、支持脚６１０の本体部６１１の上部には、当該支持脚６１０に床下ランナー６２０を螺合するための雄ねじ部６１１ａが設けられ、該本体部６１１の上端には、マイナス或いはプラスの溝６１１ｂが設けられている。支持脚６１０に床下ランナー６２０を取り付ける際には、床下ランナー６２０の取り付け孔６２１に支持脚６１０を挿通させた後、該支持脚６１０の溝６１１ｂにドライバ７００の先端を差し込み、適宜回転させることで、支持脚６１０に床下ランナー６２０を螺合する。このように、支持脚６１０に床下ランナー６２０を螺合した後、さらにドライバ７００を回転させることで該床下ランナー６２０と表面床４１０との間に所定の隙間Ｓ（図１参照）が生じるように高さ調整を行う。
【００２８】
ここで、かかる床下ランナー６２０には、複数の支持脚６１０によって支持されるように複数の取り付け孔６２１が設けられている。これら各取り付け孔６２１に各支持脚６１０を螺合する場合については、上記と同様に説明することができるため、説明を割愛する。なお、床下ランナー６２０に関し、各取り付け孔６２１の設置間隔、設置位置、設置する数等については、間仕切り壁５００の重量、支持脚６１０の強度等に応じて適宜決定すれば良い。ここで、床下ランナー６２０の取り付け方法及び床下ランナー６２０と表面床４１０との間に所定の隙間Ｓを設けた理由等については、後にその詳細を明らかにすることとし、説明を続ける。
【００２９】
床下ランナー６２０及び天井ランナー６３０は、鋼板等を曲げ加工することによって形成したものであり、間仕切り壁５００の長手方向（図１では、紙面垂直方向）に延在している。この床下ランナー６２０及び天井ランナー６３０との間に立設される間仕切り壁５００は、図１に示すように第１の間仕切り壁５１０、第２の間仕切り壁５２０及び各間仕切り壁５１０、５２０の間に介挿された合板等からなる板材５３０によって構成されている。これら各間仕切り壁５１０、５２０及び板材５３０は、図示せぬボルト等によって締め付け固定されている。
【００３０】
かかる構成を有する間仕切り壁５００の裾部分には、床下ランナー６２０等を隠して美観を損ねないようにするために巾木８００が設けられている。この巾木８００の下端には、通常時において表面床４２０と接触しているベア８１０が設けられている。ベア８１０は、可撓性部材によって形成され、床下の空気（床基盤４１０と表面床４２０との間に介在する空気）の圧力変化により表面床４２０から離れて空気の逃げ道を作ることができるようになっている。
【００３１】
このように、床下の空気の圧力変化によりベア８１０が表面床４２０から離れて空気の逃げ道を作ることができるようにしたのは、次の理由による。すなわち、子供の飛び跳ね等により表面床４２０において床衝撃音が発生すると、床下の空気は圧縮され、圧力波として床基盤４１０に伝播する。かかる床衝撃音が発生した場合に床下の空気を外部へ逃がしてやることができれば、床下の圧力は低下し、振動の伝播を抑制することができる。本実施形態においては、巾木８００の下端に可撓性部材によって形成されたベア８１０を設け、床衝撃音が発生した場合に空気の逃げ道を作ることができるようにすることで、床衝撃音の伝播を抑制している。
【００３２】
以上が本実施形態に係る建築構造物３００の詳細である。以下、支持脚６１０に対する床下ランナー６２０の取り付け方法及び床下ランナー６２０と表面床４２０との間に所定の隙間Ｓを設けた理由について、図１等を参照しながら説明する。
【００３３】
建築構造物３００に間仕切り壁５００を施工する作業者は、まず間仕切り壁５００の設置位置を確認し、該設置位置に対応する表面床４２０の一部に貫通孔６２１を穿設する。なお、かかる貫通孔４２４については、径Ｄの大きさが支持脚６１０の最大径Ｄｍａｘよりも大きくなるように設定する。作業者は、貫通孔４２４を穿設すると、該貫通孔４２４に支持脚６１０を挿通し、床基盤４１０上に支持脚６１０を立設する。
【００３４】
その後、作業者は、支持脚６１０と床下ランナー６２０とを螺合すべく、床基盤４１０上に立設した支持脚６１０に床下ランナー６２０の取り付け孔６２１を挿通し、ドライバ７００の先端を支持脚６１０の上端に設けられた溝６１１ｂに差し込み、ドライバ７００を適宜回転させる。ここで、図２に示すように、支持脚６１０の本体部６１１の上部には、当該支持脚６１０に床下ランナー６２０を螺合するための雄ねじ部６１１ａが設けられ、床下ランナー６２０の取り付け孔６２１の内周面には、該雄ねじ部６１１ａに対応する雌ねじ部６２１ａが設けられている。
【００３５】
これにより、上記ドライバ７００を適宜回転させることで、支持脚６１０のみが回転し、支持脚６１０に対する床下ランナー６２０の螺合位置が上下方向に移動して床下ランナー６２０の高さが調整される。前述したように、本発明は、床下ランナー６２０と表面床４２０との間に所定の隙間Ｓを設ける点に特徴がある。従って、作業者は、ドライバ７００を使用して床下ランナー６２０と表面床４２０との間に所定の隙間Ｓが生じるように床下ランナー６２０の高さ調整を行う。
【００３６】
このように、床下ランナー６２０と表面床４２０との間に所定の隙間Ｓを設ける理由は次の通りである。すなわち、床下ランナー６２０と表面床４２０との間に隙間Ｓを設けてない場合には（従来技術の項参照）、表面床４２０から床衝撃音が発生することにより、該床衝撃音が表面床４２０から支持脚６１０を介して床基盤４１０に伝播し、階下において大きな騒音が発生し、階下の居住者等に不快感を与えてしまう。これに対し、床下ランナー６２０と表面床４２０との間に所定の隙間Ｓを設けた場合には、たとえ表面床４２０から床衝撃音が発生したとしても、床下ランナー６２０と表面床４２０との間は絶縁されているため、該床衝撃音が表面床４２０から支持脚６１０を介して床基盤４１０に伝播することはない。この結果、階下の居住者等に不快感を与えてしまう等の問題は抑制される。
【００３７】
さて、再び説明に戻り、作業者は、その後、建築構造物３００の天井面に新たに（或いは予め）設けた天井ランナー６３０と該床下ランナー６２０との間に、第１の間仕切り壁５１０、第２の間仕切り壁５２０及び板材５３０からなる間仕切り壁５００を立設し、これら各間仕切り壁５１０、５２０及び板材５３０を図示せぬボルト等によって締め付け固定して間仕切り壁５００を自立させる。
【００３８】
そして、最後に作業者は、美観を損ねないように床下ランナー６２０等を隠すべく、天井ランナー６３０と床下ランナー６２０との間に立設した間仕切り壁５００の裾部分にベア８１０を有する巾木８００を配設し、建築構造物３００に対する間仕切り壁５００の施工を終了する。なお、巾木８００の下端部に可撓性部材によって形成されたベア８１０を設けた理由については、上述したため説明を割愛する。
【００３９】
以上説明したように、本実施形態に係る建築構造物３００によれば、間仕切り壁５００が立設される床下ランナー６２０と表面床４２０との間には、所定の隙間Ｓが設けられている。このように、床下ランナー６２０と表面床４２０との間を絶縁することで、表面床４２０から床衝撃音が発生したとしても、該衝撃音は表面床４２０から支持脚６１０を介して床基盤４１０に伝播することはない。この結果、階下の居住者等に不快感を与えてしまう等の問題を抑制することが可能となる。
【００４０】
また、間仕切り壁５００自体の質量を重くすることなく、床下ランナー６２０と表面床４２０との間に所定の隙間Ｓを設けることによって床基盤４１０に伝播する床衝撃音を低減することができるため、コストが嵩むといった問題や施工作業が煩雑になる等の問題が生ずることもない。さらに、間仕切り壁５００の重量は表面床４２０にかからないため、表面床４２０上に不陸が発生する等の問題が生ずることもない。
【００４１】
また、本実施形態では、支持脚６１０の基盤接合部６１２をゴム等からなる弾性体によって形成した場合を例に説明したが、上記のように表面床４２０から床衝撃音が発生したとしても、該衝撃音は表面床４２０から支持脚６１０を介して床基盤４１０に伝播することはない。このため、該基盤接合部６１２を支持脚６１０の本体部６１１と同様の材料（鉄等）によって形成することができる。このように、基盤接合部６１２及び本体部６１１を同一材料によって一体成形した場合には、支持脚６１０の部品コスト等も抑えることが可能となる。
【００４２】
Ｂ．変形例
以上この発明の一実施形態について説明したが、上記実施形態はあくまで例示であり、上記実施形態に対しては、本発明の趣旨から逸脱しない範囲で様々な変形を加えることができる。変形例としては、例えば以下のようなものが考えられる。
【００４３】
＜変形例１＞
図３は、変形例１に係る建築構造物３００’の部分断面図である。なお、図３に示す建築構造物３００’は、図１に示す建築構造物３００の隙間Ｓに緩衝材９００を設けたものである。その他の構成要素については、図１に示す建築構造物３００と同様であるため、対応する部分には同一符号を付し、説明を省略する。緩衝材９００は、例えばポリエチレン、ポリプロピレン、ポリウレタンフォーム等の汎用発泡体やゴム弾性体等によって構成されている。かかる緩衝材９００を隙間Ｓに介挿することで、表面床４２０の振動により該表面床４２０と支持脚６１０が衝突してしまうといった問題を未然に防止することが可能となる。
【００４４】
＜変形例２＞
また、間仕切り壁５００を施工する際、ドライバ７００を使用して床下ランナー６２０と表面床４２０との間に所定の隙間Ｓが生じるように床下ランナー６２０の高さ調整した後には、支持脚６１０と床下ランナー６２０の螺合部分に低粘度の接着剤（例えば、湿気硬化型ウレタン等）を塗布し、支持脚６１０と床下ランナー６２０とを強固に固着するようにしても良い。
【００４５】
＜変形例３＞
また、上述した本実施形態では、床下ランナーとして、断面視逆Ｔ字形状のランナー６２０を例示したが、図４に示すように断面視Ｌ字形状の床下ランナー６２０（図４（ａ）参照）、断面視凹形状の床下ランナー６２０（図４（ｂ）参照）等、種々の床下ランナーを用いることが可能である。もちろん、床下ランナー６２０のみならず、天井ランナー６３０についても同様に適用することができるが、重複説明を避けるため、割愛する。
【００４６】
＜変形例４＞
また、上述した本実施形態では、可撓性部材によって形成されたベア８１０を備えた巾木８００を例に説明したが、かかるベア８１０を備えていない巾木を間仕切り壁５００の裾部分に設けることも勿論可能である。ただし、ベア８１０を設けない場合には、床下ランナー６２０と表面床４２０との間に設けた隙間Ｓからゴミ、塵等が床基盤４１０上に落ちてしまう。かかる事情を鑑みれば、間仕切り壁５００の裾部分に設ける巾木の下端には、可撓性部材によって形成されたベア８１０を設けることが望ましい。
【００４７】
＜変形例５＞
また、上述した本実施形態に係る間仕切り壁５００は、支持脚６１０と、床下ランナー６２０と、天井ランナー６３０とを備えた間仕切り壁支持機構６００によって支持されていたが、床下ランナー６２０及び天井ランナー６３０を設けることなく、直接、間仕切り壁５００を受ける台板等を備えた支持脚６１０によって間仕切り壁５００を支持するようにしても良い。
【００４８】
【発明の効果】
以上説明したように、本発明によれば、間仕切り壁自体の質量を重くすることなく、表面床等において発生した床衝撃音の伝播を抑制することが可能となる。
【図面の簡単な説明】
【図１】  本実施形態における建築構造物の部分断面図である。
【図２】  同実施形態に係る床下アンカー及び支持脚による間仕切り壁の支持状態を説明するための図である。
【図３】  変形例１における建築構造物の部分断面図である。
【図４】  床下ランナーの断面図である。
【図５】  従来における乾式二重床の部分断面図である。
【図６】  従来における乾式二重床の部分断面図である。
【符号の説明】
３００、３００’・・・建築構造物、４００・・・乾式二重床、４１０・・・床基盤、４２０・・・表面床、５００・・・間仕切り壁、６００・・・間仕切り壁支持機構、６１０・・・支持脚、６１１・・・本体部、６１１ａ・・・雄ねじ部、６１２・・・基盤接合部、６２０・・・床下ランナー、６２１・・・取り付け孔、６２１ａ・・・雌ねじ部、６３０・・・天井ランナー、８００・・・巾木、８１０・・・ベア。
【図１】
0003900940.tif 000002
【図２】
0003900940.tif 000003
【図３】
0003900940.tif 000004
【図４】
0003900940.tif 000005
【図５】
0003900940.tif 000006
【図６】
0003900940.tif 000007